(57)【要約】【課題】  ユーザが所望するソースを迅速に選択可能とするソース選択装置、情報出力装置、及びソース割付方法等を提供する。【解決手段】  ソース選択装置は、第１ソース群に属する１以上のソースのうちから１のソースを選択する第１ソース選択手段と、第２ソース群に属する１以上のソースのうちから１のソースを選択する第２ソース選択手段と、情報記録媒体に記録されているコンテンツの種類を判別する判別手段と、前記コンテンツの種類に基づいて、当該コンテンツの種類を前記ソースとして前記第１ソース選択手段又は前記第２ソース選択手段に選択可能となるように何れかに割り付ける割付手段と、を備える。【選択図】  図１
2005093022.tif 000002
【特許請求の範囲】
【請求項１】
第１ソース群に属する１以上のソースのうちから１のソースを選択する第１ソース選択手段と、
第２ソース群に属する１以上のソースのうちから１のソースを選択する第２ソース選択手段と、
情報記録媒体に記録されているコンテンツの種類を判別する判別手段と、
前記コンテンツの種類に基づいて、当該コンテンツの種類を前記ソースとして前記第１ソース選択手段又は前記第２ソース選択手段に選択可能となるように何れかに割り付ける割付手段と、を備えることを特徴とするソース選択装置。
【請求項２】
請求項１に記載のソース選択装置において、
前記情報記録媒体には、少なくとも２種類のコンテンツが記録されており、
前記割付手段は、前記コンテンツの種類に基づいて、一方の前記コンテンツの種類を前記第１ソース群に属するソースとして前記第１ソース選択手段に選択可能に割り付け、他方の前記コンテンツの種類を前記第２ソース群に属するソースとして前記第２ソース選択手段に選択可能に割り付けることを特徴とするソース選択装置。
【請求項３】
第１ソース群に属する１以上のソースのうちから１のソースを選択する第１ソース選択手段と、
第２ソース群に属する１以上のソースのうちから１のソースを選択する第２ソース選択手段と、
情報記録媒体に記録されているコンテンツの種類を判別する判別手段と、
前記コンテンツの種類に基づいて、前記情報記録媒体の種類を前記ソースとして前記第１ソース選択手段又は前記第２ソース選択手段に選択可能となるように何れかに割り付ける割付手段と、を備えることを特徴とするソース選択装置。
【請求項４】
第１ソース群に属する１以上のソースのうちから１のソースを選択する第１ソース選択手段と、
第２ソース群に属する１以上のソースのうちから１のソースを選択する第２ソース選択手段と、
情報記録媒体の種類を判別する判別手段と、
前記情報記録媒体の種類に基づいて、当該情報記録媒体の種類を前記ソースとして前記第１ソース選択手段又は前記第２ソース選択手段に選択可能となるように何れかに割り付ける割付手段と、を備えることを特徴とするソース選択装置。
【請求項５】
第１ソース群に属する１以上のソースのうちから１のソースを選択する第１ソース選択手段と、
第２ソース群に属する１以上のソースのうちから１のソースを選択する第２ソース選択手段と、
情報記録媒体の種類を判別する判別手段と、
前記情報記録媒体の種類に基づいて、当該情報記録媒体に記録されているコンテンツの種類を前記ソースとして前記第１ソース選択手段又は前記第２ソース選択手段に選択可能となるように何れかに割り付ける割付手段と、を備えることを特徴とするソース選択装置。
【請求項６】
請求項１乃至５の何れか一項に記載のソース選択装置において、
前記割付手段は、前記判別手段により前記種類が判別されるまでの間、前記コンテンツの種類又は前記情報記録媒体の種類を前記ソースとして前記第１ソース選択手段と前記第２ソース選択手段に選択可能となるように双方に割り付けることを特徴とするソース選択装置。
【請求項７】
請求項１乃至６の何れか一項に記載のソース選択装置において、
前記第１ソース群に属するソースは音楽系のソースであり、前記第２ソース群に属するソースは映像系のソースであることを特徴とするソース選択装置。
【請求項８】
請求項１乃至７の何れか一項に記載のソース選択装置と、前記ソース選択装置によって選択されたソースから情報を出力させる制御を行う制御装置と、を備えることを特徴とする情報出力装置。
【請求項９】
第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、
情報記録媒体に記録されているコンテンツの種類を判別する工程と、
前記コンテンツの種類に基づいて、当該コンテンツの種類を前記ソースとして前記第１ソース選択手段又は前記第２ソース選択手段に選択可能となるように何れかに割り付ける工程と、を備えることを特徴とするソース割付方法。
【請求項１０】
第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、
情報記録媒体に記録されているコンテンツの種類を判別する工程と、
前記コンテンツの種類に基づいて、前記情報記録媒体の種類を前記ソースとして前記第１ソース選択手段又は前記第２ソース選択手段に選択可能となるように何れかにに割り付ける工程と、を備えることを特徴とするソース割付方法。
【請求項１１】
第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、
情報記録媒体の種類を判別する工程と、
前記情報記録媒体の種類に基づいて、当該情報記録媒体の種類を前記ソースとして前記第１ソース選択手段又は前記第２ソース選択手段に選択可能となるように何れかに割り付ける工程と、を備えることを特徴とするソース割付方法。
【請求項１２】
第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、
情報記録媒体の種類を判別する工程と、
前記情報記録媒体の種類に基づいて、当該情報記録媒体に記録されているコンテンツの種類を前記ソースとして前記第１ソース選択手段又は前記第２ソース選択手段に選択可能となるように何れかに割り付ける工程と、を備えることを特徴とするソース割付方法。
【請求項１３】
コンピュータを、
第１ソース群に属する１以上のソースのうちから１のソースを選択する第１ソース選択手段、
第２ソース群に属する１以上のソースのうちから１のソースを選択する第２ソース選択手段、
情報記録媒体に記録されているコンテンツの種類を判別する判別手段、及び
前記コンテンツの種類に基づいて、当該コンテンツの種類を前記ソースとして前記第１ソース選択手段又は前記第２ソース選択手段に選択可能となるように何れかに割り付ける割付手段、としてそれぞれ機能させることを特徴とするソース選択プログラム。
【請求項１４】
コンピュータを、
第１ソース群に属する１以上のソースのうちから１のソースを選択する第１ソース選択手段、
第２ソース群に属する１以上のソースのうちから１のソースを選択する第２ソース選択手段、
情報記録媒体に記録されているコンテンツの種類を判別する判別手段、及び
前記コンテンツの種類に基づいて、前記情報記録媒体の種類を前記ソースとして前記第１ソース選択手段又は前記第２ソース選択手段に選択可能となるように何れかに割り付ける割付手段、としてそれぞれ機能させることを特徴とするソース選択プログラム。
【請求項１５】
コンピュータを、
第１ソース群に属する１以上のソースのうちから１のソースを選択する第１ソース選択手段、
第２ソース群に属する１以上のソースのうちから１のソースを選択する第２ソース選択手段、
情報記録媒体の種類を判別する判別手段、及び
前記情報記録媒体の種類に基づいて、当該情報記録媒体の種類を前記ソースとして前記第１ソース選択手段又は前記第２ソース選択手段に選択可能となるように何れかに割り付ける割付手段、としてそれぞれ機能させることを特徴とするソース選択プログラム。
【請求項１６】
コンピュータを、
第１ソース群に属する１以上のソースのうちから１のソースを選択する第１ソース選択手段、
第２ソース群に属する１以上のソースのうちから１のソースを選択する第２ソース選択手段、
情報記録媒体の種類を判別する判別手段、及び
前記情報記録媒体の種類に基づいて、当該情報記録媒体に記録されているコンテンツの種類を前記ソースとして前記第１ソース選択手段又は前記第２ソース選択手段に選択可能となるように何れかに割り付ける割付手段、としてそれぞれ機能させることを特徴とするソース選択プログラム。
【請求項１７】
請求項１３乃至１６の何れか一項に記載のソース選択プログラムがコンピュータ読み取り可能に記録されたことを特徴とする記録媒体。
【発明の詳細な説明】
【技術分野】
【０００１】
本発明は、複数のソースのうちから１のソースを選択するソース選択装置及び方法等の技術分野に関する。
【背景技術】
【０００２】
従来より、複数のソース（例えば、ＡＭ（Amplitude Modulation）放送、ＦＭ（Frequency Modulation）放送、ＴＶ（Television）放送、ビデオテープ、ＣＤ（Compact Disc）、ＭＤ（Mini Disc）等）から１のソースを、ユーザの操作等によって選択し情報を再生（出力）させる情報再生（出力）装置が知られていた。
【０００３】
更に、近年では、ＣＤ−ＤＡ（Digital Audio）、ＣＤ−ＲＯＭ、Ｖｉｄｅｏ−ＣＤ、ＣＤ−Ｇ（グラッフィクス）、ＤＶＤ（Digital Versatile Disc）−Ｖｉｄｅｏ、ＤＶＤ−Ａｕｄｉｏ、ＤＶＤ−ＲＯＭ等の光ディスク、更にはＭＰ３（MPEG-1 Audio Layer3）方式で圧縮記録された光ディスク（ＣＤ−Ｒ等）やカード型記録媒体（メモリースティック（登録商標）等）等の様々な種類のソースから１のソースを選択し情報を再生させるマルチディスクプレイヤー等の情報再生装置が普及され始めている。
【０００４】
このようなソースの種類としては、大別すると、例えば音楽系のソースと、映像（画像）系のソースとが存在し、例えば、ＡＭ放送、ＦＭ放送、ＣＤ−ＤＡ、ＭＤ、ＭＰ３等は、音楽系のソースに属するということができ、ＴＶ放送、ビデオテープ、Ｖｉｄｅｏ−ＣＤ、ＣＤ−Ｇ（グラッフィクス）、ＤＶＤ−Ｖｉｄｅｏ、ＤＶＤ−Ａｕｄｉｏは、映像（画像）系のソースに属するということができる（音楽系と映像系の双方に属するソースもある）。
【０００５】
このような多数のソースのうち、音楽系のソースと映像系のソースを個別に選択でき、別のソースとなる音声と映像を楽しむことができるオーディオ／ビデオ複合機器が、特許文献１に開示されている。
【特許文献１】特開平７−２７２４６４号公報
【発明の開示】
【発明が解決しようとする課題】
【０００６】
ところで、多数のソースから１のソースを選択する手段として、情報再生装置に備えられた例えばソース選択キー（例えばロータリーキーのようなダイヤル式のキー、又は押しボタン方式のキー）をユーザが操作して（回して）順次ソースを切り替え、所望のソースを選択する手段がある。
【０００７】
しかしながら、このような従来の手段等では、選択可能なソースが増えるにつれ、ユーザが所望のソースを選択するまでには時間がかかるという不便さがあった。また、例えば車両に搭載されたマルチディスクプレイヤー等の情報再生装置の場合、映像系のソースを見ることは困難（或いは自動禁止機能により禁止）であるにも関わらず、不要な映像系のソースを通過して所望のソースを選択することになるという不便さもある。
【０００８】
そこで、本発明は上記不便さを課題の一例として為されたもので、ユーザが所望するソースを迅速に選択可能とするソース選択装置、情報出力装置、及びソース割付方法等を提供することを目的とする。
【課題を解決するための手段】
【０００９】
上記課題を解決するために、請求項１に記載のソース選択装置は、第１ソース群に属する１以上のソースのうちから１のソースを選択する第１ソース選択手段と、第２ソース群に属する１以上のソースのうちから１のソースを選択する第２ソース選択手段と、情報記録媒体に記録されているコンテンツの種類を判別する判別手段と、前記コンテンツの種類に基づいて、当該コンテンツの種類を前記ソースとして前記第１ソース選択手段又は前記第２ソース選択手段に選択可能となるように何れかに割り付ける割付手段と、を備えることを特徴とする。
【００１０】
請求項３に記載のソース選択装置は、第１ソース群に属する１以上のソースのうちから１のソースを選択する第１ソース選択手段と、第２ソース群に属する１以上のソースのうちから１のソースを選択する第２ソース選択手段と、情報記録媒体に記録されているコンテンツの種類を判別する判別手段と、前記コンテンツの種類に基づいて、前記情報記録媒体の種類を前記ソースとして前記第１ソース選択手段又は前記第２ソース選択手段に選択可能となるように何れかに割り付ける割付手段と、を備えることを特徴とする。
【００１１】
請求項４に記載のソース選択装置は、第１ソース群に属する１以上のソースのうちから１のソースを選択する第１ソース選択手段と、第２ソース群に属する１以上のソースのうちから１のソースを選択する第２ソース選択手段と、情報記録媒体の種類を判別する判別手段と、前記情報記録媒体の種類に基づいて、当該情報記録媒体の種類を前記ソースとして前記第１ソース選択手段又は前記第２ソース選択手段に選択可能となるように何れかに割り付ける割付手段と、を備えることを特徴とする。
【００１２】
請求項５に記載のソース選択装置は、第１ソース群に属する１以上のソースのうちから１のソースを選択する第１ソース選択手段と、第２ソース群に属する１以上のソースのうちから１のソースを選択する第２ソース選択手段と、情報記録媒体の種類を判別する判別手段と、前記情報記録媒体の種類に基づいて、当該情報記録媒体に記録されているコンテンツの種類を前記ソースとして前記第１ソース選択手段又は前記第２ソース選択手段に選択可能となるように何れかに割り付ける割付手段と、を備えることを特徴とする。
【００１３】
請求項８に記載の情報出力装置は、上記ソース選択装置と、前記ソース選択装置によって選択されたソースから情報を出力させる制御を行う制御装置と、を備えることを特徴とする。
【００１４】
請求項９に記載のソース割付方法は、第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、情報記録媒体に記録されているコンテンツの種類を判別する工程と、前記コンテンツの種類に基づいて、当該コンテンツの種類を前記ソースとして前記第１ソース選択手段又は前記第２ソース選択手段に選択可能となるように何れかに割り付ける工程と、を備えることを特徴とする。
【００１５】
請求項１０に記載のソース割付方法は、第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、情報記録媒体に記録されているコンテンツの種類を判別する工程と、前記コンテンツの種類に基づいて、前記情報記録媒体の種類を前記ソースとして前記第１ソース選択手段又は前記第２ソース選択手段に選択可能となるように何れかにに割り付ける工程と、を備えることを特徴とする。
【００１６】
請求項１１に記載のソース割付方法は、第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、情報記録媒体の種類を判別する工程と、前記情報記録媒体の種類に基づいて、当該情報記録媒体の種類を前記ソースとして前記第１ソース選択手段又は前記第２ソース選択手段に選択可能となるように何れかに割り付ける工程と、を備えることを特徴とする。
【００１７】
請求項１２に記載のソース割付方法は、第１ソース群に属する１以上のソースのうちから１のソースを選択する第１ソース選択手段と、第２ソース群に属する１以上のソースのうちから１のソースを選択する第２ソース選択手段と、を備えるソース選択装置におけるソース割付方法であって、情報記録媒体の種類を判別する工程と、前記情報記録媒体の種類に基づいて、当該情報記録媒体に記録されているコンテンツの種類を前記ソースとして前記第１ソース選択手段又は前記第２ソース選択手段に選択可能となるように何れかに割り付ける工程と、を備えることを特徴とする。
【００１８】
請求項１３に記載のソース選択プログラムは、コンピュータを、第１ソース群に属する１以上のソースのうちから１のソースを選択する第１ソース選択手段、第２ソース群に属する１以上のソースのうちから１のソースを選択する第２ソース選択手段、情報記録媒体に記録されているコンテンツの種類を判別する判別手段、及び前記コンテンツの種類に基づいて、当該コンテンツの種類を前記ソースとして前記第１ソース選択手段又は前記第２ソース選択手段に選択可能となるように何れかに割り付ける割付手段、としてそれぞれ機能させることを特徴とする。
【００１９】
請求項１４に記載のソース選択プログラムは、コンピュータを、第１ソース群に属する１以上のソースのうちから１のソースを選択する第１ソース選択手段、第２ソース群に属する１以上のソースのうちから１のソースを選択する第２ソース選択手段、情報記録媒体に記録されているコンテンツの種類を判別する判別手段、及び前記コンテンツの種類に基づいて、前記情報記録媒体の種類を前記ソースとして前記第１ソース選択手段又は前記第２ソース選択手段に選択可能となるように何れかに割り付ける割付手段、してそれぞれ機能させることを特徴とする。
【００２０】
請求項１５に記載のソース選択プログラムは、コンピュータを、第１ソース群に属する１以上のソースのうちから１のソースを選択する第１ソース選択手段、第２ソース群に属する１以上のソースのうちから１のソースを選択する第２ソース選択手段、情報記録媒体の種類を判別する判別手段、及び前記情報記録媒体の種類に基づいて、当該情報記録媒体の種類を前記ソースとして前記第１ソース選択手段又は前記第２ソース選択手段に選択可能となるように何れかに割り付ける割付手段、としてそれぞれ機能させることを特徴とする。
【００２１】
請求項１６に記載のソース選択プログラムは、コンピュータを、第１ソース群に属する１以上のソースのうちから１のソースを選択する第１ソース選択手段、第２ソース群に属する１以上のソースのうちから１のソースを選択する第２ソース選択手段、情報記録媒体の種類を判別する判別手段、及び前記情報記録媒体の種類に基づいて、当該情報記録媒体に記録されているコンテンツの種類を前記ソースとして前記第１ソース選択手段又は前記第２ソース選択手段に選択可能となるように何れかに割り付ける割付手段、としてそれぞれ機能させることを特徴とする。
【００２２】
請求項１７に記載の記録媒体は、上記ソース選択プログラムがコンピュータ読み取り可能に記録されたことを特徴とする。
【発明を実施するための最良の形態】
【００２３】
以下、図面を参照して本願の最良の実施形態について詳細に説明する。なお、以下に説明する実施の形態は、情報再生装置に対して本願を適用した場合の実施形態である。
【００２４】
先ず、図１等を参照して本願の一実施形態にかかる情報再生装置の構成及び機能について説明する。
【００２５】
図１は、本実施形態にかかる情報再生装置（本願の情報出力装置の一例）の概要構成例を示す図である。なお、当該情報再生装置は、例えば、車両に搭載されてもよいし、家庭用、業務用に設置されてもよい。
【００２６】
図１に示すように、情報再生装置１は、本体部１１と、ソース（Ａ〜Ｅ）から情報（信号）を再生（出力）する複数のソース再生出力部１２〜１６と、本体部１１から出力された音声情報（音声信号）を出力処理する音声処理部１７と、本体部１１から出力された映像情報（映像信号）を出力処理する映像処理部１８と、ユーザからの指示を受け付けその指示信号を本体部１１に出力する操作部１９と、及び本体部１１から出力された各種情報を表示する表示部２０と、を備えて構成されており、ソース再生出力部１２〜１６、音声処理部１７、映像処理部１８、操作部１９、及び表示部２０は、バス等を介して本体部１１に電気的に接続されている。
【００２７】
ここで、ソースＡ〜Ｅは、互いに異なる情報源であり、各ソース（Ａ〜Ｅ）には、例えば、ＡＭ放送、ＦＭ放送、ＴＶ放送、ビデオテープ、ＭＤ、更には、情報記録媒体の一例としての光ディスク及びカード型記録媒体（メモリースティック（登録商標）等）などの何れかのソースが該当する。
【００２８】
また、光ディスクとしては、ＣＤ−ＤＡ、ＣＤ−ＲＯＭ、ＣＤ−Ｒ、ＣＤ−ＲＷ、Ｖｉｄｅｏ−ＣＤ、ＣＤ−Ｇ、ＤＶＤ−Ｖｉｄｅｏ、ＤＶＤ−Ａｕｄｉｏ、ＤＶＤ−ＲＯＭ、ＤＶＤ−Ｒ、ＤＶＤ−ＲＷ、ＭＰ３等の種類に区別できる。
【００２９】
また、ＡＭ放送（又はＦＭ放送）においても、その周波数帯域によって複数のソースに区別（例えば、ＡＭ１放送とＡＭ２放送）することができる。
【００３０】
更に、本実施形態においては、同一の情報記録媒体（例えば光ディスクやカード型記録媒体）に複数種類のコンテンツが記録されている場合には、その情報記録媒体に記録されている夫々のコンテンツをソースというものとする。例えば、記録形態がいわゆるマルチセッション方式のＣＤ−ＲＯＭやＣＤ−Ｒ等では、セッション毎に異なる種類のコンテンツを記録、例えば、第１セッションに音楽系のコンテンツを、第２セッションに映像（画像）系のコンテンツを、それぞれ記録できるが、この場合、第１セッションに記録されているコンテンツと、第２セッションに記録されているコンテンツをそれぞれ、ソースというものとする。
【００３１】
以上のような各ソースを、本実施形態においては、第１ソース群の一例としての音楽系のソース群と、第２ソース群の一例としての映像（画像）系のソース群とのいずれかのソース群に属させるものとする。例えば、ＡＭ放送、ＦＭ放送、ＭＤ、及びＣＤ−ＤＡは、明らかに映像情報を提供するものでないので、音楽系のソース群に属させ、また、ＭＰ３は、高品質で圧縮された音声情報を記録するものであるので、音楽系のソース群に属させるものとする。
【００３２】
一方、例えば、ＴＶ放送、ビデオテープ、ＤＶＤ−Ｖｉｄｅｏ等は、明らかに映像情報を提供するものであるので、映像系のソース群に属させるものとする。また、同一の情報記録媒体に音楽系のコンテンツと映像系のコンテンツが記録されている場合、音楽系のコンテンツは音楽系のソース群に属させ、映像系のコンテンツは映像系のソース群に属させるものとする。
【００３３】
なお、図１の例においては、ソースＡ〜Ｅまでの５つのソースを示したが、かかるソースは、これより少なくても、或いは多くてもよい。
【００３４】
ソース再生出力部１２〜１６は、本体部１１に備えられた後述する制御部１１ｂによる指示の下、以上のソースＡ〜Ｅから情報を再生（出力）する機能を有している。例えば、ソースＡがＡＭ放送である場合には、ソース再生出力部１２は、ＡＭチューナとしてＡＭ放送を受信して本体部１１に出力する。また、例えば、ソースＢがＭＤである場合には、ソース再生出力部１３は、ＭＤプレイヤーとしてＭＤに記録された情報を再生し本体部１１に出力する。また、例えば、ソースＣがＴＶ放送である場合には、ソース再生出力部１４は、ＴＶチューナとしてＴＶ放送を受信して本体部１１に出力する。また、例えば、ソースＤがビデオテープである場合には、ソース再生出力部１５は、ＶＴＲ（Videotape Recorder）としてビデオテープに記録された情報を再生して本体部１１に出力する。
【００３５】
また、例えば、ソースＥがＣＤ或いはＤＶＤ等の光ディスクである場合には、ソース再生出力部１６は、マルチディスクプレイヤー（以下、「ＭＬＴＤＰ」という）として光ディスクに記録された情報を再生し本体部１１に出力する。このようなＭＬＴＤＰは、光ディスクに記録された情報を再生する際に、制御部１１ｂから指示に基づき所定のクランプ位置に装填された光ディスクの種類に応じた再生設定行い、再生機構（光ピックアップ、スピンドルモータ、サーボ回路、及び信号処理部等により構成）によって光ディスクに記録されているコンテンツに含まれる情報を読み取り再生するようになっている。
【００３６】
なお、ＡＭチューナ、ＭＤプレイヤー、ＴＶチューナ、ＶＴＲ、及びＭＬＴＤＰについては、公知であるのでこれ以上の詳しい説明を省略する。また、ソース再生出力部１２〜１６は、それぞれ、本体部１１の筐体内に一体的に設けられてもよいし、筐体外に別体として設けられてもよい。
【００３７】
本体部１１は、図１に示すように、ソース切替部１１ａ及び制御部１１ｂ等を備えている。
【００３８】
ソース切替部１１ａは、制御部１１ｂからの指示の下、ソース再生出力部１２〜１６から出力された情報を切り替え（ソースを切り替え）、音声処理部１７及び映像処理部１８に出力するようになっている。そして、音声処理部１７は、アンプ及びスピーカ等を備え、本体部１１のソース切替部１１ａによって切替出力された音声情報（音声信号）をアンプにより増幅してスピーカから音波として出力するようになっている。また、映像処理部１８は、映像処理回路及びモニタ等を備え、本体部１１のソース切替部１１ａによって切替出力された映像情報（映像信号）を映像処理回路により描画処理を行いモニタに映像（画像）を表示するようになっている。
【００３９】
制御部１１ｂは、コンピュータとして、演算機能を有するＣＰＵ（Central Processing Unit）、作業用ＲＡＭ、不揮発性メモリ、及び各種処理プログラムやデータを記憶するＲＯＭ等を備えており、例えばＲＯＭに記憶された各種処理プログラム（本願のソース選択プログラムを含む：このソース選択プログラムは、例えば、インターネット上のサーバからダウンロードされるようにしてもよいし、ＣＤ−ＲＯＭ等の記録媒体に記録されて提供されるようにしてもよい）を実行することにより、操作部１９からの指示信号に従って、情報再生装置１全体を統括制御すると共に、本願のソース選択装置（第１ソース選択手段、第２ソース選択手段、判別手段、及び割付手段を備える）及び制御装置の一例として機能するようになっている。
【００４０】
より具体的には、制御部１１ｂは、本願の第１ソース選択手段の一例として、操作部１９における音楽系のソース群用のソース切替（選択）キー（以下、「音楽ソース系キー」という）のユーザ操作による指示信号（ソース切替（選択）指示）に基づき、音楽系のソース群に属する１以上のソースのうちから１のソースを選択する。
【００４１】
また、制御部１１ｂは、本願の第２ソース選択手段の一例として、操作部１９における映像（画像）系のソース群用のソース切替（選択）キー（以下、「映像ソース系キー」という）のユーザ操作による指示信号（ソース切替（選択）指示）に基づき、映像系のソース群に属する１以上のソースのうちから１のソースを選択する。
【００４２】
図２は、操作部１９及び表示部２０の外観の一例を示す図である。図２に示すように、操作部１９には、例えば、ソース再生出力部１２〜１６から情報を再生（出力）させるための再生指示ボタン１９ａ、当該再生を停止させるための停止指示ボタン１９ｂ、音楽ソース系キー１９ｃ、及び映像ソース系キー１９ｄ等が設けられており、ユーザによる上記ボタンの操作によって、その操作に応じた指示信号が本体部１１の制御部１１ｂに出力されるようになっている。
【００４３】
なお、本実施形態においては、音楽ソース系キー１９ｃ及び映像ソース系キー１９ｄは、ロータリーキー等のようなダイヤル式のキーであり、ユーザがかかるキーを回すことによって、所定の順序に設定されているソースが順次切替、選択可能となっている。ソースが順次切替、選択される様子は、表示部２０に設けられた表示パネル（例えば、液晶パネル）２０ａ上に表示されるようになっている。なお、かかるキーは、ロータリーキー等のようなダイヤル式のキーでなくともよく、押しボタン方式のキー（ユーザがかかるキーを押す度に、所定の順序に設定されているソースが順次切替、選択される）であってもよい。
【００４４】
図３は、表示部２０の表示パネル２０ａ上に表示された音楽系のソース群に属するソースの選択表示例と、映像系のソース群に属するソースの選択表示例を示す図である。図３の例では、音楽系のソース群と映像系のソース群とは互いに独立しており、カーソル２０１によって示されたソース（音楽系のソース群にあっては「ソースＡ」、映像系のソース群にあっては「ソースＣ」）がそれぞれ選択されている。そして、例えば、ユーザが音楽ソース系キー１９ｃ又は映像ソース系キー１９ｄを操作することによって、カーソル２０１が矢印の方向に順次移動しソースの選択が切り替えられるようになっている。
【００４５】
こうしてソースが選択された後、制御部１１ｂは、本願の制御装置の一例として、選択されたソースから情報を再生（出力）させるように、ソース再生出力部１２〜１６及びソース切替部１１ａに指示を与え制御する。図３の例では、音楽系のソース群と、映像系のソース群の双方でソースが選択されているが、どちらのソースから情報を再生（出力）させるかは、例えば最後に選択されたソースを優先する。また、選択されたソースから情報を再生（出力）させる指示は、例えば、音楽ソース系キー１９ｃ又は映像ソース系キー１９ｄによってソースが切替、選択されると同時に、或いは、ユーザにより再生指示ボタン１９ａが押下された時に、制御部１１ｂによって行われる。
【００４６】
ここで、上述したように、例えばソース再生出力部１６がＭＬＴＤＰである場合、ここには、ＣＤ−ＤＡ、ＤＶＤ−Ｖｉｄｅｏ、ＭＰ３等の種類が異なる様々な光ディスクがソースとして装填される場合があるため、装填された光ディスクによってソース再生出力部１６にて提供されるソースが、音楽系のソース群に属するものなのか、映像系のソース群に属するものなのかが変わってくる。また、このことは、例えば、ソースがカード型記録媒体である場合も同様のことがいえる。
【００４７】
更に、同一の情報記録媒体に複数種類のコンテンツが記録されている場合、そのコンテンツによってソース再生出力部１６にて提供されるソースが、音楽系のソース群に属するものなのか、映像系のソース群に属するものなのかが変わってくる。
【００４８】
このような場合のために、制御部１１ｂは、本願の判別手段の一例として、情報記録媒体の種類、又は情報記録媒体に記録されているコンテンツの種類を判別する。そして、制御部１１ｂは、本願の割付手段の一例として、判別した情報記録媒体又はコンテンツの種類に基づいて当該情報記録媒体又は当該コンテンツをソースとして音楽ソース系キー１９ｃ又は映像ソース系キー１９ｄの何れかの操作によって制御部１１ｂが選択可能なように割り付ける。なお、場合によっては、情報記録媒体に記録されているコンテンツの種類を判別が困難な場合もあり、このような場合には、情報記録媒体の種類の判別をもって、コンテンツの種類の判別とみなすようにしてもよい（例えば、情報記録媒体の種類が、ＤＶＤであった場合には、コンテンツの種類が映像系のコンテンツであるとみなす）。
【００４９】
制御部１１ｂによる情報記録媒体の種類、又は情報記録媒体に記録されているコンテンツの種類の判別方法として、以下に一例を挙げる。
【００５０】
例えば、制御部１１ｂがＭＬＴＤＰを制御して、トラッキングエラー信号の２値化信号の数が閾値以上の場合には光ディスクの種類をＣＤ（例えば、ＣＤ−ＤＡ）と判別し、当該閾値未満の場合にはＤＶＤ（例えば、ＤＶＤ−Ｖｉｄｅｏ）と判別する。
【００５１】
また、制御部１１ｂがＭＬＴＤＰを制御して、光ディスクを規定回転数で回転させ、その時に光ディスクから最大ピット長又は最小ピット長を測定してピット長の大小からＣＤとＤＶＤとを判別する。
【００５２】
また、制御部１１ｂは、ＭＬＴＤＰを制御して、ＣＤのリードインエリアに記録されたＴＯＣ（Table Of Contents）情報を取得し、これによってＣＤの種類を判別したり、また、制御部１１ｂは、ＭＬＴＤＰを制御して、ＤＶＤに記録されたビデオマネージャーを取得し、これによってＤＶＤの種類を判別する。
【００５３】
更に、制御部１１ｂは、光ディスク或いはカード型記録媒体に記録されたコンテンツにＭＰ３のファイルが存在するか否かを検索して存在する場合にはＭＰ３を判別し、この場合、当該コンテンツが音楽系のコンテンツと判別する。
【００５４】
更にまた、情報記録媒体にコンテンツがドルビーデジタル（登録商標）（ＡＣ−３）方式で圧縮されて記録される場合、通常、平均音量レベル（コンテンツ全体の音量レベルが平均化された値）が記録されているが、制御部１１ｂはこれを取得して、かかる平均音量レベルが閾値以上の場合には、音楽系のコンテンツと判別し、閾値未満の場合には、映像系のコンテンツと判別する。
【００５５】
更にまた、情報記録媒体にコンテンツが非圧縮、例えば、高音質のリニアＰＣＭ方式で記録されている場合、音楽系のコンテンツと判別する。
【００５６】
その他にも、公知又は非公知の判別（情報記録媒体の種類の判別、コンテンツの種類の判別）方法が挙げられるが、制御部１１における判別方法は、特に限定されるものではなく、その他の如何なる判別方法も適用可能である。
【００５７】
なお、本実施形態においては、制御部１１ｂによって情報記録媒体又はコンテンツの種類を判別する例を示したが、例えばＭＬＴＤＰが情報記録媒体又はコンテンツの種類を判別し、その判別結果を制御部１１ｂが取得することにより、制御部１１ｂが情報記録媒体又はコンテンツの種類を判別したとみなすようにしてもよい。
【００５８】
また、制御部１１ｂが、情報記録媒体の種類を判別した後、その判別結果に応じて更にコンテンツの種類を判別するように構成してもよい。
【００５９】
上記判別により、例えば情報記録媒体がＣＤ（例えば、ＣＤ−ＤＡ）であると判別された場合には、制御部１１ｂは、当該ＣＤが音楽系のソース群に属するソースとして音楽ソース系キー１９ｃの操作によって制御部１１ｂが選択可能なように割り付ける。
【００６０】
また、例えば情報記録媒体がＤＶＤ（例えば、ＤＶＤ−Ｖｉｄｅｏ）であると判別された場合には、制御部１１ｂは、当該ＤＶＤが映像系のソース群に属するソースとして映像ソース系キー１９ｄの操作によって制御部１１ｂが選択可能なように割り付ける。
【００６１】
また、例えば情報記録媒体がＭＰ３あると判別された場合には、制御部１１ｂは、制御部１１ｂは、当該ＭＰ３が音楽系のソース群に属するソースとして音楽ソース系キー１９ｃの操作によって制御部１１ｂが選択可能なように割り付ける。
【００６２】
更に、例えば情報記録媒体に記録されているコンテンツが音楽系のコンテンツであると判別された場合には、制御部１１ｂは、当該コンテンツが音楽系のソース群に属するソースとして音楽ソース系キー１９ｃの操作によって制御部１１ｂが選択可能なように割り付ける。
【００６３】
更にまた、例えば情報記録媒体に記録されているコンテンツが映像系のコンテンツであると判別された場合には、制御部１１ｂは、当該コンテンツが映像系のソース群に属するソースとして映像ソース系キー１９ｄの操作によって制御部１１ｂが選択可能なように割り付ける。
【００６４】
なお、同一の情報記録媒体に音楽系のコンテンツと映像系のコンテンツが記録されていると判別された場合には、制御部１１ｂは、そのうち、音楽系のコンテンツが音楽系のソース群に属するソースとして音楽ソース系キー１９ｃの操作によって制御部１１ｂが選択可能に割り付けると共に、映像系のコンテンツが映像系のソース群に属するソースとして映像ソース系キー１９ｄの操作によって制御部１１ｂが選択可能に割り付けることになる。
【００６５】
以上のように、情報記録媒体又はコンテンツの種類が判別され、上記割付方法によって、その種類に応じて情報記録媒体又はコンテンツが、何れかのソース群に属するソースとして自動的に音楽ソース系キー１９ｃ又は映像ソース系キー１９ｄの何れかの操作によって制御部１１ｂが選択可能に割り付けられるので、ユーザは、例えば車両を運転中にも所望する音楽系の情報記録媒体又はコンテンツを迅速に選択することができる。
【００６６】
ところで、情報記録媒体又はコンテンツの種類の判別は、非常に時間がかかる場合もあり（１回で判別できない場合には、リトライが行われるので１分以上かかるものもある）、特に、近年のように光ディスクの種類が増してくると判別する数が増し、一層時間がかかることが顕著になってくる。従って、情報記録媒体又はコンテンツの種類の判別中には、情報記録媒体又はコンテンツを何れのソース群にも割り付けられず、ユーザが当該情報記録媒体又はコンテンツを選択できないという問題が生じる。
【００６７】
そこで、本実施形態においては、情報記録媒体又はコンテンツの種類が判別されるまでの間、制御部１１ｂは、情報記録媒体又はコンテンツを音楽ソース系キー１９ｃと映像ソース系キー１９ｄの双方によって選択可能に割り付けるようになっている。つまり、制御部１１は、情報記録媒体又はコンテンツの種類の判別開始時に情報記録媒体又はコンテンツをソースとして音楽ソース系キー１９ｃと映像ソース系キー１９ｄの双方によって選択可能に割り付け、当該判別終了時に判別した情報記録媒体又はコンテンツの種類に基づいて当該情報記録媒体又は当該コンテンツを音楽ソース系キー１９ｃ又は映像ソース系キー１９ｄの何れかの操作によって選択可能に割り付ける。
【００６８】
図４は、情報記録媒体又はコンテンツの種類の判別中に、表示部２０の表示パネル２０ａ上に表示された音楽系のソース群に属するソースの選択表示例と、映像系のソース群に属するソースの選択表示例を示す図である。図４に示すように、ソースＥとしての情報記録媒体又はコンテンツの種類の判別中、ユーザは音楽ソース系キー１９ｃと映像ソース系キー１９ｄの双方でソースＥを選択可能になっている。
【００６９】
そして、例えばソースＥが音楽系のソース群に属する種類であると判別された場合には、例えば図３に示すように、ソースＥは、音楽ソース系キー１９ｃの操作によって制御部１１ｂが選択可能に割り付けられ、ユーザは、音楽ソース系キー１９ｃのみにより当該ソースＥを選択することができるようになる。
【００７０】
このように、情報記録媒体又はコンテンツの種類の判別に時間がかかる場合にも、ユーザは、所望する情報記録媒体又はコンテンツを迅速に選択することができる。
【００７１】
次に、図５等を参照して情報再生装置１の制御部１１ｂにおけるソース切替（選択）処理について説明する。
【００７２】
図５は、ユーザが音楽ソース系キー１９ｃを操作した場合における制御部１１ｂにおける音楽系ソース切替（選択）処理を示すフローチャートである。なお、この処理において、ソースＡ及びソースＢが音楽系のソース群に属し、ソースＣ及びソースＤが映像系のソース群に属し、ソースＥが音楽系のソース群又は映像系のソース群に属するものとする。また、音楽系のソース群の切替順序は、ソースＡ、ソースＢ、ソースＥ（ソースの種類判別中、又は音楽系のソース群に属する場合に限る）の順序に予め設定されているものとする。
【００７３】
図５の処理において、ユーザにより操作部１９における音楽ソース系キー１９ｃが操作（ソース一切替分回す）すると、制御部１１ｂは、先ず、全てのソースがＯＦＦ中（つまり、全てのソースが選択されていない状態）があるか否かを判別する（ステップＳ１）。全てのソースがＯＦＦ中である場合（ステップＳ１：ＹＥＳ）、ステップＳ５に移行される。
【００７４】
一方、全てのソースがＯＦＦ中でない場合（ステップＳ１：ＮＯ）、制御部１１ｂは、映像系のソースがＯＮ中（映像系のソースが選択されている状態）であるか否かを判別する（ステップＳ２）。映像系のソースがＯＮ中である場合（ステップＳ２：ＹＥＳ）、ステップＳ５に移行される。
【００７５】
一方、映像系のソースがＯＮ中でない場合（ステップＳ２：ＮＯ）、制御部１１ｂは、ソースＢが選択中であるか否かを判別する（ステップＳ３）。ソースＢが選択中である場合（ステップＳ３：ＹＥＳ）、ステップＳ６に移行される。
【００７６】
一方、ソースＢが選択中でない場合（ステップＳ３：ＮＯ）、制御部１１ｂは、ソースＡが選択中であるか否かを判別する（ステップＳ４）。ソースＡが選択中である場合（ステップＳ４：ＹＥＳ）、制御部１１ｂは、ソースＡからソースＢへ切替える（ステップＳ１４）。一方、ソースＡが選択中でない場合（ステップＳ４：ＮＯ）、つまり、ソースＥが選択中である場合には、制御部１１ｂは、ソースＥからソースＡへ切替える（ステップＳ１５）。
【００７７】
ステップＳ５では、制御部１１ｂが、ラストがソースＥであるか否かを判別する。つまり、この場合、音楽系のソースの選択がなされていないので、制御部１１ｂは、ユーザが最後（ラスト）に選択していたソース（例えば、不揮発性メモリに記憶）がソースＥであるか否かを判別し、ソースＥでない場合（ステップＳ５：ＮＯ）、ラストの音楽系のソース（この場合、ソースＡ又はソースＢ）へ切替える（ステップＳ９）。一方、ソースＥである場合（ステップＳ５：ＹＥＳ）、ステップＳ６に移行される。
【００７８】
ステップＳ６では、制御部１１ｂが、ソースＥが有るか否かを判別する。つまり、制御部１１ｂは、ソース再生出力部１６に情報記録媒体が装填（装着）されているか否かを判別し、ソースＥが無い場合（ステップＳ６：ＮＯ）、ソースＥへ切替える（ステップＳ１０）。この時、表示部２０の表示パネル２０ａ上に「ソースＥ無し」が表示される。
【００７９】
一方、ソースＥが有る場合（ステップＳ６：ＹＥＳ）、制御部１１ｂは、ソースＥの種類が判別済みであるか否かを判別する（ステップＳ７）。ソースＥの種類が判別済みでない場合（ステップＳ７：ＮＯ）、例えば、現在判別中である場合には、上述したように、音楽ソース系キー１９ｃと映像ソース系キー１９ｄの双方によって選択可能に割り付けられているので、制御部１１ｂは、図４に示すように、ソースＥの選択が可能になるので、ソースＥへ切替える（ステップＳ１１）。この時、表示部２０の表示パネル２０ａ上に「ソースＥ判別中」が表示される。
【００８０】
一方、ソースＥの種類が判別済みである場合（ステップＳ７：ＹＥＳ）、つまり、ソースＥの上記割り付けが完了している場合には、制御部１１ｂは、ソースＥが映像系のソースであるか（映像系のソース群に属するか）否かを判別する（ステップＳ８）。ソースＥが映像系のソースでない場合（ステップＳ８：ＮＯ）、制御部１１ｂは、例えば図３に示すようにソースＢからソースＥへ切替える（ステップＳ１２）。一方、ソースＥが映像系のソースである場合（ステップＳ８：ＹＥＳ）、制御部１１ｂは、ソースＡへ切替える（ステップＳ１２）。
【００８１】
なお、ユーザが映像ソース系キー１９ｄを操作した場合における制御部１１ｂにおける映像系ソース切替（選択）処理の流れは、音楽系ソース切替（選択）処理の流れと同様であるので説明を省略する。
【００８２】
（実施例）
次に、上記の実施例として、実際のソースを適用した場合の音楽系ソース切替（選択）処理及び映像系ソース切替（選択）処理について説明する。
【００８３】
図６は、実施例において、ユーザが音楽ソース系キー１９ｃを操作した場合における制御部１１ｂにおける音楽系ソース切替（選択）処理を示すフローチャートである。図７は、実施例において、ユーザが映像ソース系キー１９ｄを操作した場合における制御部１１ｂにおける映像系ソース切替（選択）処理を示すフローチャートである。
【００８４】
また、図８は、表示部２０の表示パネル２０ａ上に表示された音楽系のソース群に属するソースの選択表示例と、映像系のソース群に属するソースの選択表示例を示す図であり、（Ａ）は、ＭＬＴＤＰにおける光ディスクの種類の判別中を、（Ｂ）は、ＭＬＴＤＰにおける光ディスクの種類がＤＶＤであると判別された場合を、（Ｃ）は、ＭＬＴＤＰにおける光ディスクの種類がＭＰ３であると判別された場合を、それぞれ示す。
【００８５】
なお、図６及び図７に示す処理において、音楽系のソース群に属するソースとして、「ＭＤ」、「ＦＭ１放送（以下、「ＦＭ１」という）」、「ＦＭ２放送（以下、「ＦＭ２」という）」、「ＡＭ１放送（以下、「ＡＭ１」という）」、及び「ＡＭ２放送（以下、「ＡＭ２」という）」の５つのソースを例にとり、映像系のソース群に属するソースとして、「ＴＶ放送（以下、「ＴＶ」という）」及び「ビデオテープ（以下、「ＶＴＲ」という）」の２つのソースを例にとるものとする。また、音楽系のソース群と映像系のソース群の何れかに属する光ディスクから情報を再生する「ＭＬＴＤＰ」を例にとるものとする。また、音楽系のソース群の切替順序は、ＭＤ、ＦＭ１、ＦＭ２、ＡＭ１、ＡＭ２、ＭＬＴＤＰ（ソースの種類判別中、又は音楽系のソース群に属する場合に限る）の順序に予め設定されているものとする。また、映像系のソース群の切替順序は、ＴＶ、ＶＴＲ、ＭＬＴＤＰ（ソースの種類判別中、又は映像系のソース群に属する場合に限る）の順序に予め設定されているものとする。
【００８６】
図６の処理において、ユーザにより操作部１９における音楽ソース系キー１９ｃが操作（ソース一切替分回す）すると、制御部１１ｂは、先ず、全てのソースがＯＦＦ中（つまり、全てのソースが選択されていない状態）があるか否かを判別する（ステップＳ２１）。全てのソースがＯＦＦ中である場合（ステップＳ２１：ＹＥＳ）、ステップＳ２８に移行される。
【００８７】
一方、全てのソースがＯＦＦ中でない場合（ステップＳ２１：ＮＯ）、制御部１１ｂは、映像系のソースがＯＮ中（映像系のソースが選択されている状態）であるか否かを判別する（ステップＳ２２）。映像系のソースがＯＮ中である場合（ステップＳ２２：ＹＥＳ）、ステップＳ２８に移行される。
【００８８】
一方、映像系のソースがＯＮ中でない場合（ステップＳ２２：ＮＯ）、制御部１１ｂは、ＡＭ２が選択中であるか否かを判別する（ステップＳ２３）。ＡＭ２が選択中である場合（ステップＳ２３：ＹＥＳ）、ステップＳ２９に移行される。
【００８９】
一方、ＡＭ２が選択中でない場合（ステップＳ２３：ＮＯ）、制御部１１ｂは、ＦＭ１が選択中であるか否かを判別する（ステップＳ２４）。ＦＭ１が選択中である場合（ステップＳ２４：ＹＥＳ）、制御部１１ｂは、ＦＭ１からＦＭ２へ切替える（ステップＳ３７）。
【００９０】
一方、ＦＭ１が選択中でない場合（ステップＳ２４：ＮＯ）、制御部１１ｂは、ＦＭ２が選択中であるか否かを判別する（ステップＳ２５）。ＦＭ２が選択中である場合（ステップＳ２５：ＹＥＳ）、制御部１１ｂは、ＦＭ２からＡＭ１へ切替える（ステップＳ３８）。
【００９１】
一方、ＦＭ２が選択中でない場合（ステップＳ２５：ＮＯ）、制御部１１ｂは、ＡＭ１が選択中であるか否かを判別する（ステップＳ２６）。ＡＭ１が選択中である場合（ステップＳ２６：ＹＥＳ）、制御部１１ｂは、ＡＭ１からＡＭ２へ切替える（ステップＳ３９）。
【００９２】
一方、ＡＭ１が選択中でない場合（ステップＳ２６：ＮＯ）、制御部１１ｂは、ＭＬＴＤＰが選択中（つまり、ＭＬＴＤＰが選択されている状態）であるか否かを判別する（ステップＳ２７）。ＭＬＴＤＰが選択中である場合（ステップＳ２７：ＹＥＳ）、制御部１１ｂは、ＭＬＴＤＰからＭＤへ切替える（ステップＳ４０）。
【００９３】
一方、ＭＬＴＤＰが選択中でない場合（ステップＳ２７：ＮＯ）、つまり、ＭＤが選択中の場合には、制御部１１ｂは、ＭＤからＦＭ１へ切替える（ステップＳ４１）。
【００９４】
ステップＳ２８では、制御部１１ｂが、ラストがＭＬＤＴＰであるか否かを判別する。つまり、この場合、音楽系のソースの選択がなされていないので、制御部１１ｂは、ユーザが最後（ラスト）に選択していたソースがＭＬＤＴＰにおける光ディスク（例えば、不揮発性メモリに記憶）であるか否かを判別し、当該光ディスクでない場合（ステップＳ２８：ＮＯ）、ラストの音楽系のソースへ切替える（ステップＳ３２）。一方、光ディスクである場合（ステップＳ２８：ＹＥＳ）、ステップＳ２９に移行される。
【００９５】
ステップＳ２９では、制御部１１ｂが、光ディスクがＭＬＤＴＰに有る（装填されているか）か否かを判別する。光ディスクが無い場合（ステップＳ２９：ＮＯ）、ＭＬＴＤＰへ切替える（ステップＳ３３）。この時、表示部２０の表示パネル２０ａ上に「光ディスク無し」が表示される。
【００９６】
一方、光ディスクが有る場合（ステップＳ２９：ＹＥＳ）、制御部１１ｂは、光ディスクの種類が判別済みであるか否かを判別する（ステップＳ３０）。光ディスクの種類が判別済みでない場合（ステップＳ３０：ＮＯ）、例えば、現在判別中である場合には、上述したように、音楽ソース系キー１９ｃと映像ソース系キー１９ｄの双方によって選択可能に割り付けられているので、制御部１１ｂは、図８（Ａ）に示すように、ＭＬＴＤＰの選択が可能になるので、ＭＬＴＤＰへ切替える（ステップＳ３４）。この時と共に、表示部２０の表示パネル２０ａ上に「光ディスク判別中」が表示される。
【００９７】
一方、光ディスクの種類が判別済みである場合（ステップＳ３０：ＹＥＳ）、つまり、光ディスクの上記割り付けが完了している場合には、制御部１１ｂは、光ディスクが映像系のソースであるか（映像系のソース群に属するか）否かを判別する（ステップＳ３１）。光ディスクが映像系のソースのみでない場合（ステップＳ３１：ＮＯ）、制御部１１ｂは、例えばＭＰ３の場合、図８（Ｃ）に示すようにＭＬＴＤＰ（ＭＰ３）へ切替える（ステップＳ３５）。一方、光ディスクが映像系のソースのみである場合（ステップＳ３１：ＹＥＳ）、制御部１１ｂは、ＭＤへ切替える（ステップＳ３６）。
【００９８】
次に、図７の処理において、ユーザにより操作部１９における映像ソース系キー１９ｄが操作すると、図６に示すステップＳ２１と同様、制御部１１ｂは、先ず、全てのソースがＯＦＦ中があるか否かを判別する（ステップＳ５１）。全てのソースがＯＦＦ中である場合（ステップＳ５１：ＹＥＳ）、ステップＳ５５に移行される。
【００９９】
一方、全てのソースがＯＦＦ中でない場合（ステップＳ５１：ＮＯ）、制御部１１ｂは、音楽系のソースがＯＮ中（音楽系のソースが選択されている状態）であるか否かを判別する（ステップＳ５２）。音楽系のソースがＯＮ中である場合（ステップＳ５２：ＹＥＳ）、ステップＳ５５に移行される。
【０１００】
一方、音楽系のソースがＯＮ中でない場合（ステップＳ５２：ＮＯ）、制御部１１ｂは、ＶＴＲが選択中であるか否かを判別する（ステップＳ５３）。ＶＴＲが選択中である場合（ステップＳ５３：ＹＥＳ）、ステップＳ５６に移行される。
【０１０１】
一方、ＶＴＲが選択中でない場合（ステップＳ５３：ＮＯ）、制御部１１ｂは、ＴＶが選択中であるか否かを判別する（ステップＳ５４）。ＴＶが選択中である場合（ステップＳ５４：ＹＥＳ）、制御部１１ｂは、ＴＶからＶＴＲへ切替える（ステップＳ６４）。
【０１０２】
一方、ＴＶが選択中でない場合（ステップＳ５４：ＮＯ）、つまり、ＭＬＴＤＰが選択中である場合には、制御部１１ｂは、ＴＶへ切替える（ステップＳ６５）。
【０１０３】
ステップＳ５５では、制御部１１ｂが、ラストがＭＬＴＤＰであるか否かを判別する。つまり、この場合、映像系のソースの選択がなされていないので、制御部１１ｂは、ユーザが最後（ラスト）に選択していたソースがＭＬＴＤＰにおける光ディスク（例えば、不揮発性メモリに記憶）であるか否かを判別し、当該光ディスクでない場合（ステップＳ５５：ＮＯ）、ラストの映像系のソースへ切替える（ステップＳ５９）。一方、光ディスクである場合（ステップＳ５５：ＹＥＳ）、ステップＳ５６に移行される。
【０１０４】
ステップＳ５６では、制御部１１ｂが、光ディスクがＭＬＤＴＰに有る（装填されているか）か否かを判別する。光ディスクが無い場合（ステップＳ５６：ＮＯ）、ＭＬＴＤＰへ切替える（ステップＳ６０）。この時、表示部２０の表示パネル２０ａ上に「光ディスク無し」が表示される。
【０１０５】
一方、光ディスクが有る場合（ステップＳ５６：ＹＥＳ）、制御部１１ｂは、光ディスクの種類が判別済みであるか否かを判別する（ステップＳ５７）。光ディスクの種類が判別済みでない場合（ステップＳ５７：ＮＯ）、例えば、現在判別中である場合には、上述したように、音楽ソース系キー１９ｃと映像ソース系キー１９ｄの双方によって選択可能に割り付けられているので、制御部１１ｂは、図８（Ａ）に示すように、ＭＬＴＤＰの選択が可能になるので、ＭＬＴＤＰへ切替える（ステップＳ６１）。この時、表示部２０の表示パネル２０ａ上に「光ディスク判別中」が表示される。
【０１０６】
一方、光ディスクの種類が判別済みである場合（ステップＳ５７：ＹＥＳ）、つまり、光ディスクの上記割り付けが完了している場合には、制御部１１ｂは、光ディスクが音楽系のソースであるか（音楽系のソース群に属するか）否かを判別する（ステップＳ５８）。光ディスクが音楽系のソースのみでない場合（ステップＳ５８：ＮＯ）、制御部１１ｂは、例えばＤＶＤの場合、図８（Ｂ）に示すようにＭＬＴＤＰ（ＤＶＤ）へ切替える（ステップＳ６２）。一方、光ディスクが音楽系のソースのみである場合（ステップＳ５８：ＹＥＳ）、制御部１１ｂは、ＴＶへ切替える（ステップＳ６３）。
【０１０７】
なお、例えば図８（Ａ）に示すように、ＭＬＴＤＰにおける光ディスクの判別中は、音楽ソース系キーと映像ソース系キーの双方でＭＬＴＤＰ（光ディスク）を選択可能としているが、この時、例えばカード型記録媒体の種類又はカード型記録媒体に記録されているコンテンツの種類の判別も並行して行うように構成してもよく、この場合、ＭＬＴＤＰとカード型記録媒体は共に、音楽ソース系キーと映像ソース系キーの双方で選択可能なように制御部１１ｂによって処理されることになる。
【０１０８】
以上説明したように、上記実施形態によれば、選択可能なソースを音楽系のソース群と映像系のソース群に区分し、それぞれに対してソース選択するためのキー（音楽ソース系キーと映像ソース系キー）を設けるようにし、しかも、例えば装填されるまでは音楽系のソース群と映像系のソース群のどちらに属するか不明な光ディスク等のソースであっても、自動的にその種類が判別されて、音楽ソース系キーと映像ソース系キーとの何れかで選択可能に割り付けるように構成したので、選択可能なソースが増えた場合にも、ユーザが所望のソースを迅速に選択することが可能になる。
【０１０９】
また、情報再生装置１が例えば車両に搭載された場合に、ユーザが運転中、映像系のソースを見ることは困難（或いは自動禁止機能により禁止）な場合にも、映像ソース系キーを操作することなく、音楽ソース系キー操作して所望の音楽系のソースを選択して、音楽を聴くことができるので、ユーザに対する利便性を向上させることができる。
【０１１０】
また、操作パネルが狭い面積である場合、ソース毎に選択キーを設けず、本実施形態のように一つのキーで順次ソースを切替、選択するキーが適用されると考えられるが、この場合に上記実施形態のように構成することが効果的である。
【０１１１】
更に、情報記録媒体又はコンテンツの種類の判別中には、判別対象の情報記録媒体又はコンテンツを音楽ソース系キーと映像ソース系キーとの双方で選択可能なように構成したので、当該判別に時間がかかる場合であっても、ユーザは、所望する情報記録媒体又はコンテンツをソースして迅速に選択することができる。
【０１１２】
なお、上記実施形態においては、第１ソース群の一例として音楽系のソース群を、第２ソース群の一例として映像系のソース群を、それぞれ適用して説明したが、音楽系と映像系とで分けることに限定されるものではなく、他の種類、例えば、高音質のソース群と、低音質のソース群というように分けるように構成してもよい。
【０１１３】
また、上記実施形態においては、音楽系のソース群と映像系のソース群の２つのソース群に分けるように構成したが、これに限定されるものではなく、３つ以上のソース群に分けるように構成してもよい。３つ以上のソース群（例えば、動画像系、静止画像系、音楽系等）に分けたとしても、第１ソース群と第２ソース群との必ず２つのソース群が具備されるので、本願の範囲に含まれる。例えば、３つ以上のソース群に分けた場合、それぞれソース群に対応するソース選択キーが設けられることになるが、各ソース選択キーが操作された場合の制御部の処理は、上記図５等の処理と同様である。また、この場合、制御部は、情報記録媒体又はコンテンツの種類を判別し、その種類に基づいて、当該情報記録媒体又は当該コンテンツをソースとして第１ソース選択手段、第２ソース選択手段、及び第３ソース選択手段（第３ソース群に属する１以上のソースのうちから１のソースを選択するもの）の何れかに選択可能に割り付けられることになる。そして、この場合、制御部（割付手段）は、情報記録媒体又はコンテンツの種類が判別されるまでの間、当該情報記録媒体又は当該コンテンツをソースとして第１ソース選択手段と第２ソース選択手段と第３ソース選択手段の全てに選択可能に割り付けることになる。
【図面の簡単な説明】
【０１１４】
【図１】本実施形態にかかる情報再生装置（本願の情報出力装置の一例）の概要構成例を示す図である。
【図２】操作部１９及び表示部２０の外観の一例を示す図である。
【図３】表示部２０の表示パネル２０ａ上に表示された音楽系のソース群に属するソースの選択表示例と、映像系のソース群に属するソースの選択表示例を示す図である。
【図４】情報記録媒体又はコンテンツの種類の判別中に、表示部２０の表示パネル２０ａ上に表示された音楽系のソース群に属するソースの選択表示例と、映像系のソース群に属するソースの選択表示例を示す図である。
【図５】ユーザが音楽ソース系キー１９ｃを操作した場合における制御部１１ｂにおける音楽系ソース切替（選択）処理を示すフローチャートである。
【図６】実施例において、ユーザが音楽ソース系キー１９ｃを操作した場合における制御部１１ｂにおける音楽系ソース切替（選択）処理を示すフローチャートである。
【図７】実施例において、ユーザが映像ソース系キー１９ｄを操作した場合における制御部１１ｂにおける映像系ソース切替（選択）処理を示すフローチャートである。
【図８】表示部２０の表示パネル２０ａ上に表示された音楽系のソース群に属するソースの選択表示例と、映像系のソース群に属するソースの選択表示例を示す図である。
【符号の説明】
【０１１５】
１  情報再生装置
１１  本体部
１１ａ  ソース切替部
１１ｂ  制御部
１２〜１６  ソース再生出力部
１７  音声処理部
１８  映像処理部
１９  操作部
２０  表示部
【図１】
2005093022.tif 000003
【図２】
2005093022.tif 000004
【図３】
2005093022.tif 000005
【図４】
2005093022.tif 000006
【図５】
2005093022.tif 000007
【図６】
2005093022.tif 000008
【図７】
2005093022.tif 000009
【図８】
2005093022.tif 000010